(57)【要約】【課題】  使用時の利便性と衛生性を確保をしつつ、捨て紙をも収納できるチューインガムの包装容器の提供、また、製造コストを抑え大量生産に適した包装容器の提供。【解決手段】  底板４の周囲に周壁５を起立させて上部を開口させた容器本体ｂ、および、その容器本体ｂの上部開口に取り付けられ、基端側蓋板１ａと先端側蓋板１ｂを連設した蓋板１を開閉可能にした蓋体部ｃからなり、内部のガム収納部ｅの上記基端側蓋板１ａの下側となる位置に収納トレイ２を配設し、その収納トレイ２により区画される上側を捨て紙収納部ｇとしている包装容器。【選択図】  図５
2009137608.tif 000002
【特許請求の範囲】
【請求項１】
底板の周囲に周壁を起立させて上部を開口させた容器本体、および、その容器本体の上部開口に取り付けられ、基端側蓋板と先端側蓋板を連設した蓋板を開閉可能にした蓋体部からなり、内部のガム収納部の上記基端側蓋板の下側となる位置に収納トレイを配設し、その収納トレイにより区画される上側を捨て紙収納部としていることを特徴とする包装容器。
【請求項２】
上記蓋体部が、上記容器本体に係合する環状枠の一側外方に、基端側蓋板および先端側蓋板からなる上記蓋板を連設し、また、上記環状枠内の上記蓋板の基端側半部に収納トレイを形成し、その収納トレイの反対側の上記先端側蓋板の下側となる位置に取出口を開口してなることを特徴とする請求項１記載の包装容器。
【請求項３】
上記蓋体部の蓋板が、上記容器本体に係合する環状枠の一側外方に折り線を介して形成された蓋板連結部に対して連設されていること、および、上記蓋板連結部が係合片を立設してなり、その蓋板連結部を上記折り線で折り返して、上記係合片を環状枠の係合孔に係合固定することで、上記蓋板を環状枠の上方に開閉自在に位置させることができるようにしてなることを特徴とする請求項２記載の包装容器。
【請求項４】
上記蓋体部の上記収納トレイの左右両縁に上記環状枠の内側に沿わせて形成された側壁が、その上面の上記蓋板連結部側を高くして、その上記蓋板連結部側の端から蓋板の先端方向へ斜め下方に下る斜面を形成し、かつ、その斜面の上記蓋板の先端方向側に連続させて、該蓋板の先端方向へ斜め上方に立ち上がる、上記斜面とは逆勾配の立ち上がり部を形成していることを特徴とする請求項３記載の包装容器。
【請求項５】
上記収納トレイの上記取出口側の縁部に切欠きを形成するとともに、壁体を立設してなることを特徴とする請求項２，３または４記載の包装容器。
【請求項６】
外形が平面略円形で肉厚円盤状をなし、その外面の一側平坦面を形成したことを特徴とする請求項１，２，３，４または５記載の包装容器。
【発明の詳細な説明】
【技術分野】
【０００１】
本発明は、チューイングガムとともに捨て紙を収納できる包装容器に関する。
【背景技術】
【０００２】
従来より、チューインガムを捨て紙とともに収納する包装容器として、各種のものが知られている。
実用新案登録第３１０１９１４号公報（特許文献１）に記載された包装容器は、容器本体の上部開口に取り付けられる蓋体の内側に、冊子状の捨て紙を接着保持できるようにしたもの、あるいは、収納したチューインガムと捨て紙の直接接触を防止し衛生面を改善するため、捨て紙を蓋体の内側に形成したポケット部に収納できるようにしたものである。
これは、チューインガムを取り出すときおよび捨て紙を取り出すときに蓋体を開閉しなければならないのでその蓋体の開閉部の強度や密閉性が低下しやすいなどという問題がある。
【０００３】
特開２００６−１１２３９４４号公報（特許文献２）に記載された包装容器は、上記のような問題を解決するとともに、使用時の利便性を改善したもので、これは、容器本体とその上部開口を閉止する蓋体からなり、その蓋体が、捨て紙等を収納する凹部を有する蓋体台部と、その凹部の開口を閉止するスライド自在な上蓋とからなる。
【特許文献１】実用新案登録第３１０１９１４号公報
【特許文献２】特開２００６−１２３９４４号公報
【発明の開示】
【発明が解決しようとする課題】
【０００４】
しかし、引用文献１の蓋体の裏側にポケット部を形成したものや、引用文献２に記載された、上蓋をスライド自在にした上記蓋体台部を有するものは、そのポケット部の構造や上蓋をスライドさせるための構造が複雑であるから製造コストがかかる。また、製造ラインでの大量生産を、より効率化できる構造のものとすることが好ましい。
【０００５】
そこで、本発明は、使用時の利便性と衛生性を確保をしつつ、捨て紙をも収納できるチューインガムの包装容器の提供、また、製造コストを抑え大量生産に適した包装容器の提供を課題とする。
【課題を解決するための手段】
【０００６】
請求項１記載の本発明は、底板４の周囲に周壁５を起立させて上部を開口させた容器本体ｂ、および、その容器本体ｂの上部開口に取り付けられ、基端側蓋板１ａと先端側蓋板１ｂを連設した蓋板１を開閉可能にした蓋体部ｃからなり、内部のガム収納部ｅの上記基端側蓋板１ａの下側となる位置に収納トレイ２を配設し、その収納トレイ２により区画される上側を捨て紙収納部ｇとしている包装容器である。
【０００７】
請求項２記載の本発明は、上記蓋体部ｃが、上記容器本体ｂに係合する環状枠８の一側外方に、基端側蓋板１ａおよび先端側蓋板１ｂからなる上記蓋板１を連設し、また、上記環状枠８内の上記蓋板１の基端側半部に収納トレイ２を形成し、その収納トレイ２の反対側の上記先端側蓋板１ｂの下側となる位置に取出口１１を開口してなる請求項１記載の包装容器である。
【０００８】
請求項３記載の本発明は、上記蓋体部ｃの蓋板１が、上記容器本体ｂに係合する環状枠８の一側外方に折り線９を介して形成された蓋板連結部１０に対して連設されていること、および、上記蓋板連結部１０が係合片１８，１９を立設してなり、その蓋板連結部１０を上記折り線９で折り返して、上記係合片１８，１９を環状枠８の係合孔３２，３３に係合固定することで、上記蓋板１を環状枠８の上方に開閉自在に位置させることができるようにしてなる請求項２記載の包装容器である。
【０００９】
請求項４記載の本発明は、上記蓋体部ｃの上記収納トレイ２の左右両縁に上記環状枠８の内側に沿わせて形成された側壁１４，１５が、その上面の上記蓋板連結部１０側を高くして、その上記蓋板連結部１０側の端から蓋板１の先端方向へ斜め下方に下る斜面１４’，１５’を形成し、かつ、その斜面１４’，１５’の上記蓋板１の先端方向側に連続させて、該蓋板１の先端方向へ斜め上方に立ち上がる、上記斜面１４’，１５’とは逆勾配の立ち上がり部１４”，１５”を形成している請求項３記載の包装容器である。
【００１０】
請求項５記載の本発明は、上記収納トレイ２の上記取出口１１側の縁部に切欠き１２を形成するとともに、壁体１３，１３を立設してなる請求項２，３または４記載の包装容器である。
【００１１】
請求項６記載の本発明は、外形が平面略円形で肉厚円盤状をなし、その外面の一側平坦面３を形成した請求項１，２，３，４または５記載の包装容器である。
【発明の効果】
【００１２】
請求項１記載の本発明によれば、ガム収納部ｅ内のチューインガムｄと収納トレイ２内の捨て紙ｆとが直接接触せず衛生的で、また、先端側蓋板１ｂを開いてガム収納部ｅ内のチューインガムを取り出すことができ、基端側蓋板１ａを開いて収納トレイ２内の捨て紙ｆを取り出すことができる。
【００１３】
請求項２記載の本発明は、蓋体部ｃが環状枠８、蓋板１および収納トレイ２を一体にした単純な構造であるから製造コストを抑えることができる。
【００１４】
請求項３記載の本発明は、蓋体部ｃが、係合片１８，１９を環状枠８の係合孔３２，３３に係合固定するだけで、蓋板１を環状枠８の上方に開閉自在な状態とすることができるものであるから、製造コストを抑えることができる。
【００１５】
請求項４記載の本発明によれば、基端側蓋板１ａを下方に押し下げて、立ち上がり部１４”，１５”を支点に先端側蓋板１ｂをはね上げることで、先端側蓋板１ｂを簡単に開くことができる。
【００１６】
請求項５記載の本発明によれば、収納トレイｂから捨て紙ｆが落ちることがなく、また、その捨て紙ｆの使用時の取出しが行い易い。
【００１７】
請求項６記載の本発明によれば、平坦面３を底部として起立状態に保持することができる。
【発明を実施するための最良の形態】
【００１８】
底板４の周囲に周壁５を起立させて上部を開口させた容器本体ｂ、および、その容器本体ｂの上部開口に取り付けられ、基端側蓋板１ａと先端側蓋板１ｂを連設した蓋板１を開閉可能にした蓋体部ｃからなり、内部のガム収納部ｅの上記基端側蓋板１ａの下側となる位置に収納トレイ２を配設し、その収納トレイ２により区画される上側を捨て紙収納部ｇとしている包装容器。
【実施例１】
【００１９】
本実施例の包装容器ａは、上部を開口した平面略円形をなす皿状の容器本体ｂ、および、その容器本体ｂの上部開口に取り付けられ、基端側蓋板１ａと先端側蓋板１ｂを連設した蓋板１を開閉可能にした蓋体部ｃからなるもので、その内部の、多数のチューインガム（糖衣ガム）ｄ……を収納するガム収納部ｅ内に、収納トレイ２を配設し、これにより区画される上側の領域を上側を冊子状にした複数の捨て紙ｆ……を収容するための捨て紙収納部ｇとしている。
３は、平面略円形で肉厚円盤状をなす該包装容器ａの外面の一側に形成した平坦面である。
【００２０】
上記容器本体ｂは、略円形の底板４の周囲に周壁５を起立させ上部を開口したもので、６は上記周壁５の上縁外周に形成された係合溝である。
７は、該容器本体ｂの一側に形成された平坦部である。
【００２１】
上記蓋体部ｃは、上記周壁５に嵌合する環状枠８の一側外方に、折り線９を介して蓋板連結部１０が形成されており、この蓋板連結部１０に対して、上記基端側蓋板１ａおよび先端側蓋板１ｂからなる上記蓋板１を、折り線１ｃを介して一体に連設している。
【００２２】
上記環状枠８内には、上記蓋板連結部１０側半部に上記収納トレイ２を形成し、その反対側に略半円形をなす取出口１１を開口している。１２は上記収納トレイ２の前縁部の中央に形成された半円形の切欠き、１３，１３はその収納トレイ２の取り出し口１１側の縁部（前縁部）の、上記切欠き１２の左右両側に立設された壁体である。
【００２３】
１４，１５は、上記収納トレイ２の左右両縁に上記環状枠８の内側に沿わせて形成された側壁である。その長さは上記基端側蓋板１ａよりやや長いもので、
その上面は、上記蓋板連結部１０側（上記蓋板１の基端側）を高くして、その上記蓋板連結部１０側の端から蓋板１の先端方向へ斜め下方に下る斜面１４’，１５’を形成している。その斜面１４’，１５’には弧状溝１６，１７が形成されている。
１４”，１５”は、上記斜面１４’，１５’の上記蓋板１の先端方向側に連続させて、該蓋板１の先端方向へ斜め上方に立ち上がりかつ環状枠８の内側に沿う、上記斜面１４’，１５’とは逆勾配の立ち上がり部である。
【００２４】
上記蓋板連結部１０には、係合片１８，１９が立設されており、上記基端側蓋板１ａの側面には突起２０，２１が、また、先端側蓋板１ｂの側面には突起２２，２３が形成されている。
２４，２５は基端側蓋板１ａの下面の縁部に形成され、上記弧状溝１６，１７に嵌合する弧状突条、２６は先端側蓋板１ｂの先端縁に形成されたツマミ部である。
また、上記環状枠８の内周には、上記基端側蓋板１ａの突起２０，２１に対応する位置に係止孔２７，２８が、先端側蓋板１ｂの突起２２，２３に対応する位置に係止孔２９，３０が開設されている。
【００２５】
この蓋体部ｃは、環状枠８の下縁内周に形成した係合片３１を上記容器本体ｂの係合溝６に係合させて（図２）該容器本体ｂに取り付けられるもので蓋板連結部１０を上記折り線９で折り返して、上記係合片１８，１９を環状枠８の係合孔３２，３３に係合して外れないように固定することで、展開状態（成型状態）から、蓋板１を環状枠８の上方に開閉自在に位置させることができるものである。
このようにして組み立てられる包装容器ａは、ガム収納部ｅ内上方の、上記基端側蓋板１ａの下側の位置に収納トレイ２を配しその上側を捨て紙収納部ｇとしている。
閉蓋状態では、上記基端側蓋板１ａの突起２０，２１が係止孔２７，２８に、先端側蓋板１ｂの突起２２，２３が係止孔２９，３０に係合してロック状態となる。このとき、基端側蓋板１ａの下面と上記側壁１４，１５の上面との間には空隙３４が空いた状態となっている（図２）。
【００２６】
ガム収容部ｅ内のチューインガムｄを取り出す際には蓋板１の先端側蓋板１ｂのみを開くことができる（図３，図４）。この先端側蓋板１ｂは、ツマミ部２６を摘んで上方に引き上げて開くこともできるが、基端側蓋板１ａを、側壁１４，１５の上面に当接する位置まで下方に押し下げて（このとき、弧状突条２４，２５が弧状溝１６，１７に係入する）、立ち上がり部１４”，１５”を支点に先端側蓋板１ｂをはね上げることで、より簡単に開くこともできる。
このように先端側蓋板１ｂを開いた状態で取り出し口１１からチューインガムｄを取り出すことができる。
【００２７】
捨て紙ｆを取り出す際には、上記の先端側蓋板１ｂが開いた状態からさらに先端側蓋板１ｂを引き上げることにより基端側蓋板１ａを開くことができる（図５，６）。
収納トレイ２には壁体１３，１３が設けてあるから、捨て紙ｆ……がガム収容部ｅ内に落ちてチューインガムｄ……に接触することがなく、また、切欠き１２が設けてあるから、捨て紙ｆ……の取り出しが行い易い。
【００２８】
上記のとおり、本包装容器ａは多数のチューインガムｄ……をガム収納部ｅに収納し、また、そのチューインガムｄ……を噛んだ後に包むための捨て紙ｆ……を捨て紙収納部ｇに収納できるので、便利である。
捨て紙ｆ……は直接チューインガムｄ……に触れない構造となっているので、衛生面の問題もない。
また、蓋板１が先端側蓋板１ｂと基端側蓋板１ａとを連設したもので、先端側蓋板１ｂだけを開くこともできるので、チューインガムｄ……の取り出しの際には先端側蓋板１ｂを開き、捨て紙ｆ……の取り出しの際は全体を開く、というように二段階に開くことができ、便利なだけでなくユニークなものになっている。
【００２９】
この包装容器ａは平坦面３を底部として起立状態に保持できるので、複数個を箱詰めする場合や店頭でのディスプレイ時等にスペースを過剰に占有することなく、また、安定した状態で陳列することができる。
【００３０】
また、蓋体部ｃが環状枠８、収納トレイ２、蓋板１等を一体にした単純な構造になっているので大量生産にも適しており、蓋板部ｃを折り線９で折り返す組立て作業も係合片１８，１９を係合孔３２，３３に係合固定するだけの簡単なものであるから、製造コストを抑えることが可能である。
また、チューインガムｄ……の充填時は、容器本体ｂに蓋板部ｃを取り付ける前にその容器本体ｂの上部の広い開口から行えるので、包装工程における作業性が良い。
【図面の簡単な説明】
【００３１】
【図１】本発明の実施例に係る包装容器の閉蓋状態を示す斜視図である。
【図２】図１のI-I線縦断面図である。
【図３】上記包装容器の蓋の先端側蓋板のみを開いた状態を示す斜視図である。
【図４】図３のII-II線縦断面図である。
【図５】上記包装容器の蓋の先端側蓋板および基端側蓋板双方を開いた状態を示す斜視図である。
【図６】図５のIII-III線縦断面図である。
【図７】蓋体部の平面図である。
【図８】図７のIV-IV線縦断面図である。
【符号の説明】
【００３２】
ａ 包装容器
ｂ 容器本体
ｃ 蓋体部
１ 蓋板
１ａ 基端側蓋板
１ｂ 先端側蓋板
１ｃ 折り線
２ 収納トレイ
３ 平坦面
４ 底板
５ 周壁
６ 係合溝
７ 平坦部
８ 環状枠
９ 折り線
１０ 蓋板連結部
１１ 取出口
１２ 切欠き
１３ 壁体
１４，１５ 側壁
１４’，１５’ 斜面
１４”，１５”  立ち上がり部
１６，１７ 弧状溝
１８，１９ 係合片
２０，２１ 突起
２２，２３ 突起
２４，２５ 弧状突起
２６ ツマミ部
２７，２８ 係止孔
２９，３０ 係止孔
３１ 係合片
３２，３３ 係合孔
３４ 空隙
【図１】
2009137608.tif 000003
【図２】
2009137608.tif 000004
【図３】
2009137608.tif 000005
【図４】
2009137608.tif 000006
【図５】
2009137608.tif 000007
【図６】
2009137608.tif 000008
【図７】
2009137608.tif 000009
【図８】
2009137608.tif 000010